(57)【要約】【課題】上面にコンタクトガラスを有する筐体と、上記筐体に開閉自在に取り付けられた原稿自動送り装置と、筐体内に収容され、所定の読取位置を通過する原稿を、光源から出射される光によって照明する照明ユニットと、上記原稿自動送り装置が作動中であることを報知する作動ランプとを備えた画像読取装置において、原稿自動送り装置の作動ランプを安価に構成する。【解決手段】作動ランプ１００は、原稿自動送り装置７の外装カバー７ｃに設けられた透光領域７ｅを含む。画像読取装置は、原稿自動送り装置７が閉状態にあるときに光源６２から出射される光を透光領域７ｅの内側まで導く光路１０２をさらに備え、光源６２は、作動ランプ１００を点灯させる光源として兼用されている。【選択図】図７
2019211514.tif 000002
【特許請求の範囲】
【請求項１】
上面にコンタクトガラスを有する筐体と、上記筐体に開閉自在に取り付けられ、閉状態で上記コンタクトガラスを被覆して該コンタクトガラス上の所定の読取位置に向けて原稿を搬送する原稿自動送り装置と、上記筐体内に収容され、上記所定の読取位置を通過する原稿を、光源から出射される光によって上記コンタクトガラスの下側から照明する照明ユニットと、上記筐体内に収容されて上記原稿からの反射光を画像信号に変換する画像センサーと、点灯することにより、上記原稿自動送り装置が作動中であることを報知する作動ランプと、を備えた画像読取装置であって、
上記作動ランプは、上記原稿自動送り装置の外装カバーに設けられた透光領域を含み、
上記原稿自動送り装置が閉状態にある場合において上記照明ユニットが上記所定の読取位置を通過する原稿に向けて照明を行う際に、上記光源から出射される光を上記外装カバーの上記透光領域に導く光路をさらに備えている、画像読取装置。
【請求項２】
請求項１記載の画像読取装置において、
上記照明ユニットは、上記コンタクトガラスの下側にて主走査方向に延びて一端面が上記光源に対向する照明用導光体を備え、
上記照明用導光体は、上記一端面から入射する光を、該照明用導光体の周面にコンタクトガラスに対向して形成された光出射部からライン状に出射するように構成され、
上記光路は、上記筐体内に設けられた筐体側導光体と、上記原稿自動送り装置内に設けられた送り装置側導光体とを有し、
上記筐体側導光体は、一端部が上記照明用導光体の他端面に対向し、他端部が上記筐体の上壁から光の伝播可能に露出するように構成され、
上記送り装置側導光体は、一端部が上記外装カバーの上記透光領域のカバー内方側に位置し、他端部が上記原稿自動送り装置の底壁から光の伝播可能に露出して、該他端部が該原稿自動送り装置の閉状態において上記筐体側導光体の他端部に対向するように構成されている、画像読取装置。
【請求項３】
請求項２記載の画像読取装置において、
上記コンタクトガラス上に載置された原稿を読み取る固定読取りモードと、上記原稿自動送り装置によって該コンタクトガラス上の上記所定の読取位置に供給された原稿を読み取る自動読取りモードとを備え、
上記コンタクトガラスは、上記固定読取りモードにおいて原稿が載置される第１コンタクトガラスと、上面に上記所定の読取位置が設定された第２コンタクトガラスとからなり、
上記照明ユニットは、上記固定読取りモードでは上記第１コンタクトガラスの下側を副走査方向に往復移動する一方、上記自動読取りモードでは上記第２コンタクトガラスの直下の所定のホームポジションに静止しながら原稿の照明を行うように構成され、
上記筐体側導光体は、上記照明ユニットと共に移動可能に構成され、
上記筐体の上壁には、上記照明ユニットが上記所定のホームポジションにあるときに上記筐体側導光体の他端部を光の伝播可能に露出させる貫通孔が形成されている、画像読取装置。
【請求項４】
請求項１乃至３のいずれか一項に記載の画像読取装置を備えた画像形成装置。
【発明の詳細な説明】
【技術分野】
【０００１】
本発明は、画像読取装置及び該画像読取装置を備えた画像形成装置に関する。
【背景技術】
【０００２】
従来より、複写機等の画像形成装置に搭載される画像読取装置として、原稿自動送り装置を備えたものが知られている。この画像読取装置は、上面にコンタクトガラスが装着された筐体を有している。筐体内には、コンタクトガラス上の原稿の画像を読取る読取りユニットが収容されている。コンタクトガラスの上面は、原稿自動送り装置によって開閉可能に覆われている。原稿自動送り装置は、所定の支持軸を支点に上下方向に回動することでコンタクトガラスの上面を開閉する。
【０００３】
上記画像読取装置による読取り方式として、自動読取り方式と固定読取り方式との二種類がある。自動読取り方式では、原稿自動送り装置によってコンタクトガラス上の所定位置に原稿を自動的に搬送しながら画像読取りを行う。一方、固定読取り方式では、コンタクトガラス上の原稿を１枚ずつ取り替えて画像読取りを行う。
【０００４】
この種の画像読取装置では、原稿自動送り装置が作動していることをユーザーに報知する警告ユニットを備える場合がある（例えば、特許文献１の段落００３８を参照）。警告ユニットは、原稿自動送り装置の作動に同期して点灯する作動ランプを有している。
【先行技術文献】
【特許文献】
【０００５】
【特許文献１】特開２００５−０８４２８９号公報
【発明の概要】
【発明が解決しようとする課題】
【０００６】
しかしながら、上記特許文献１に示す画像形成装置では、作動ランプを点灯させるための専用の発光部材（例えばＬＥＤ等）や回路基板及び取付部材等が必要となる。このため、作動ランプを設けない場合に比べてコスト増加を招くという問題がある。
【０００７】
本発明は、かかる点に鑑みてなされたものであり、その目的とするところは、画像読取装置において、原稿自動送り装置の作動ランプを安価に構成することにある。
【課題を解決するための手段】
【０００８】
本発明に係る画像読取装置は、上面にコンタクトガラスを有する筐体と、上記筐体に開閉自在に取り付けられ、閉状態で上記コンタクトガラスを被覆して該コンタクトガラス上の所定の読取位置に向けて原稿を搬送する原稿自動送り装置と、上記筐体内に収容され、上記所定の読取位置を通過する原稿を、光源から出射される光によって上記コンタクトガラスの下側から照明する照明ユニットと、上記筐体内に収容されて上記原稿からの反射光を画像信号に変換する画像センサーと、点灯することにより、上記原稿自動送り装置が作動中であることを報知する作動ランプと、を備えている。
【０００９】
そして、上記作動ランプは、上記原稿自動送り装置の外装カバーに設けられた透光領域を含んでいる。画像読取装置は、上記原稿自動送り装置が閉状態にある場合において上記照明ユニットが上記所定の読取位置を通過する原稿に向けて照明を行う際に、上記光源から出射される光を上記外装カバーの上記透光領域に導く光路をさらに備えている。
【発明の効果】
【００１０】
本発明によれば、画像読取装置において、原稿自動送り装置の作動ランプを安価に構成することができる。
【図面の簡単な説明】
【００１１】
【図１】図１は、実施形態における画像読取装置を備えた画像形成装置の斜視図である。
【図２】図２は、実施形態における画像読取装置の概略構成図である。
【図３】図３は、実施形態における画像読取装置の筐体等の斜視図である。
【図４】図４は、実施形態における照明ユニットの斜視図である。
【図５】図５は、実施形態における照明ユニットを構成する照明部の斜視図である。
【図６】図６は、実施形態における照明ユニットを上側から見た概略平面図である。
【図７】図７は、図２のVII−VII線断面を示す概略図である。
【図８】図８は、図７のVIII−VIII線断面図である。
【図９】図９は、作動ランプ用の光路を拡大して示す右側から見た側面図。
【図１０】図１０は、実施形態２を示す図６相当図である。
【図１１】図１１は、実施形態２を示す図８相当図である。
【発明を実施するための形態】
【００１２】
以下、本発明の実施形態を図面に基づいて詳細に説明する。尚、本発明は、以下の実施形態に限定されるものではない。
【００１３】
図１は、実施形態における画像形成装置１の概略構成図を示す。画像形成装置１は、印刷機能の他にスキャナ機能とファックス機能とコピー機能とを有する複合型の画像形成装置（複合機）である。尚、以下の説明において、前側、後側は、画像形成装置１の前側、後側を意味し、左側、右側は、画像形成装置１を前側（後述する操作パネル８側）から見たときの左側、右側を意味するものとする。
【００１４】
画像形成装置１は、画像形成装置本体２と、その上側に配置された画像読取装置３とを備えている。画像形成装置本体２は、その上下方向の中間部に配置された印刷部４と、印刷部４の下側に配置された複数の給紙カセット５とを有している。各給紙カセット５内にはそれぞれサイズが異なる用紙が収容されている。印刷部４は、給紙カセット５より供給される用紙に対して所定の画像データに基づいて印刷を行う。印刷部４における印刷方式には電子写真方式が採用されている。すなわち、印刷部４は、感光体ドラムの表面に画像データに対応するレーザー光を照射して静電潜像を形成し、この静電潜像をトナーで現像して用紙に転写する。
【００１５】
−画像読取装置について−
図２は、実施形態における画像読取装置３の概略構成図を示す。図３は、実施形態における画像読取装置３の筐体２０部分の斜視図を示す。画像読取装置３は、コンタクトガラス１１上で原稿（原稿シート）の画像を光学的に読み取り、原稿の画像に応じた画像データを生成する。尚、本実施形態では、画像読取装置３について前後方向は「主走査方向」に相当し、左右方向は「副走査方向」に相当する。
【００１６】
画像読取装置３は、図２に示すように、コンタクトガラス１１が上面に設けられた筐体２０と、筐体２０に開閉自在に取り付けられて閉状態でコンタクトガラス１１の上面を被覆する原稿自動送り装置（ＡＤＦ）７と、筐体２０に収容された読取ユニット３０とを備えている。尚、図１に示すように、画像読取装置３の前面部には操作パネル８が突出形成されている。操作パネル８には、テンキーやスタートキーを含む操作部９と、液晶ディスプレイからなる表示部１０とが設けられている。
【００１７】
画像読取装置３は、原稿の画像を読み取る原稿読取動作を行う。原稿読取動作には、使用者によってコンタクトガラス１１上に載せられた原稿を読み取る固定読取りモードと、原稿自動送り装置７によって自動で供給された原稿を読み取る自動読取りモードとがある。
【００１８】
筐体２０は、上面が開放された略直方体状の箱体２０ａ（図３参照）と、その箱体２０ａの上壁を構成する上板２０ｂと、上板２０ｂの開口に装着されたコンタクトガラス１１（図２参照）とを備えている。コンタクトガラス１１としては、固定読取りモードの原稿読取動作で読み取る原稿が載せられる第１コンタクトガラス１１ａと、自動読取りモードの原稿読取動作で読み取る原稿が上側を通過する第２コンタクトガラス１１ｂとが設けられている。第１コンタクトガラス１１ａは、矩形板状に形成され、筐体２０の上面において広範囲を占める。第２コンタクトガラス１１ｂは、前後方向に細長い矩形板状に形成され、筐体２０の上面において第１コンタクトガラス１１ａの左側に配置されている。
【００１９】
原稿自動送り装置７は、筐体２０の上側に載置されている。原稿自動送り装置７は、筐体２０の後側端部に設けられたヒンジ（図示省略）を支点にして、筐体２０に開閉自在に取り付けられている。原稿自動送り装置７は、閉状態のときに筐体２０の上面における略全領域を被覆する。
【００２０】
原稿自動送り装置７は、原稿給紙トレイ７ａにセットされた原稿を所定の搬送路Ｔに沿って搬送し、第２コンタクトガラス１１ｂの上面に設定された所定の読取位置Ｒを通過させる。搬送路Ｔは、原稿自動送り装置７の内部にて主走査方向から見てＵ字状に湾曲している。読取位置Ｒを通過した原稿は、原稿給紙トレイ７ａの下側に設けられた原稿排紙トレイ７ｂに排出される。
【００２１】
原稿自動送り装置７は、プラスチック製の外装カバー７ｃにより全体が覆われている。外装カバー７ｃの前側面には作動ランプ１００が設けられている。作動ランプ１００は、点灯することによって、原稿自動送り装置７が作動中であることを報知する。
【００２２】
読取ユニット３０は、図２に示すように、第１移動キャリッジ３１と第２移動キャリッジ３２と集光レンズユニット３３と撮像素子３４とを備えている。第１移動キャリッジ３１には、照明ユニット４０と第１反射ミラー４１とが搭載されている。第２移動キャリッジ３２には、第２反射ミラー４２及び第３反射ミラー４３が搭載されている。
【００２３】
照明ユニット４０から照射されてコンタクトガラス１１で反射した反射光は、第１反射ミラー４１、第２反射ミラー４２、第３反射ミラー４３の順番で反射する。第２反射ミラー４２及び第３反射ミラー４３は、光路を反転させる。そして、第３反射ミラー４３の反射光は、集光レンズユニット３３を通過し、撮像素子（画像センサー）３４の撮像面に結像される。
【００２４】
撮像素子３４は、ＣＣＤ（charge coupled device）等からなり、撮像面で受光した光をアナログ電気信号（画像信号）に光電変換する。このアナログ電気信号は、Ａ／Ｄ変換回路（図示省略）によってデジタル電気信号に変換された後、コントローラー１５に画像データとして入力される。
【００２５】
各移動キャリッジ３１，３２は、ステッピングモーター等の駆動モーターを用いた駆動機構（図示省略）により駆動される。第１移動キャリッジ３１は、第１コンタクトガラス１１ａ及び第２コンタクトガラス１１ｂの下面に沿って、左右方向に往復移動する。第２移動キャリッジ３２は、第１移動キャリッジ３１に追従して、第１移動キャリッジ３１の１／２の移動量で左右方向に往復移動する。具体的に、固定読取りモードの原稿読取動作の時に、第１移動キャリッジ３１は、第１コンタクトガラス１１ａの左端直下（ホームポジション）から右方向へ移動する。この移動の際に、照明ユニット４０から原稿に向けて光が照射される。一方、自動読取りモードの原稿読取動作の時に、第１移動キャリッジ３１は、第２コンタクトガラス１１ｂの直下のホームポジションに移動して静止状態となる。この静止状態において、照明ユニット４０から画像読取位置Ｒを通過する原稿に向けて光が照射される。
【００２６】
画像読取装置３は、その動作を制御するコントローラー１５を備えている。コントローラー１５は、ＣＰＵ、ＲＯＭ及びＲＡＭを有するマイクロコンピューターにより構成されている。コントローラー１５は、操作部９から入力されたモード情報を基に、固定読取りモードと自動読取りモードとのいずれか一方を選択して、上記各移動キャリッジ３１，３１及び照明ユニット４０の作動を制御する。コントローラー１５は、照明ユニット４０による照明動作の実行に際して、後述する第１光源６１及び第２光源６２の双方を作動させる。
【００２７】
−照明ユニットについて−
図４は、実施形態における照明ユニット４０の斜視図を示す。図５は、実施形態における照明ユニット４０を構成する照明部５１，５２の斜視図を示す。図６は、実施形態における照明ユニット４０を上側から見た平面概略図を示す。
【００２８】
照明ユニット４０は、コンタクトガラス１１上の原稿を焦点位置として照明光を照射する。照明ユニット４０は、図４に示すように、前後方向に長いライン状の照明光を照射する第１照明部５１及び第２照明部５２と、第１照明部５１及び第２照明部５２を支持する支持部材５３とを備えている。支持部材５３は、第１移動キャリッジ３１に取り付けられている。照明ユニット４０は、第１移動キャリッジ３１の位置に応じて、第１コンタクトガラス１１ａまたは第２コンタクトガラス１１ｂに対向する位置で光を照射する。尚、第１照明部５１と第２照明部５２は同じ構成である。
【００２９】
第１照明部５１は、図５に示すように、第１光源６１と、真っすぐな棒状の第１導光体７１とを備えている。第２照明部５２は、第２光源６２と、真っすぐな棒状の第２導光体７２（照明用導光体）とを備えている。各照明部５１，５２では、１つの導光体７１，７２に対し光源６１，６２が１つずつ設けられている。照明ユニット４０では、２つの光源６１，６２が設けられている。尚、図５では、括弧なしの符号が第１照明部５１の符号であり、括弧付きの符号が第２照明部５２の符号である。
【００３０】
各光源６１，６２は、薄い円板状の形状を有して白色光を発する白色ＬＥＤ（Light Emitting Diode）である。白色ＬＥＤとしては、例えば、青色光又は紫外光を発するＧａＮ系またはＩｎＧａＮ系半導体発光素子が蛍光体入り透明樹脂で封入された高輝度ＬＥＤパッケージを用いることができる。各光源６１，６２は、各導光体７１，７２の一端面に対向して配置される。
【００３１】
各導光体７１，７２は、アクリル樹脂などの透光性の樹脂材料によって成形されている。各導光体７１，７２では、対応する光源６１，６２に対向する端面からの入射光が伝播して、ライン状の照明光に変換されて出射される。具体的に、各導光体７１，７２では、光源６１，６２に対面する一端面が入射面７１ａ，７２ａとなり、上面が出射面７１ｂ，７２ｂとなり、出射面７１ｂ，７２ｂに対向する底面が反射面７１ｃ，７２ｃとなる。出射面７１ｂ，７２ｂは、各導光体７１，７２の周面にコンタクトガラス１１に対向して形成されライン状の光を出射する光出射部として機能する。一方の導光体７１の他端面（後端面）は反射板で覆われている一方、他方の導光体７２の他端面（前端面）は反射板に覆われることなく露出して後述する筐体側導光体１０３の下端部に対向している。
【００３２】
図６に示すように、第１導光体７１と第２導光体７２は、間隔を隔てて互いに平行に支持部材５３に取り付けられている。支持部材５３は、各導光体７１，７２が前後方向に沿って延びように第１移動キャリッジ３１に取り付けられている。支持部材５３は、各導光体７１，７２の前端部及び後端部を支持する前側支持板５３ａ及び後側支持板５３ｂと、各導光体７１，７２の下側にて前後方向に延びる反射板５３ｃとを有している。前側支持板５３ａ及び後側支持板５３ｂは、反射板５３ｃの前後方向の両端部に接続されている。
【００３３】
第１導光体７１は第１光源６１が前側に位置するように支持部材５３に取り付けられ、第２導光体７２は第２光源６２が後側に位置するように支持部材５３に取り付けられている。第１光源６１は、筐体２０の前側領域に位置し、第１導光体７１への入射光を後側に向けて出射する。第２光源６２は、筐体２０の後側領域に位置し、第２導光体７２への入射光を前側に向けて光を出射する。図６中の二点鎖線は、第1導光体７１及び第２導光体７２内における光の伝播方向を示している。
【００３４】
前側支持板５３ａ及び後側支持板５３ｂには、第1導光体７１の両端を嵌合支持する第１支持孔５３ｄが形成されている。また、前側支持板５３ａ及び後側支持板５３ｂには、第２導光体７２の両端を嵌合支持する第２支持孔５３ｅが形成されている。
【００３５】
前側支持板５３ａの前側面には、第１支持孔５３ｄに連続的に繋がって第１光源６１を収容する第1光源収容凹部５３ｆが形成されている。後側支持板５３ｂの後側面には、第２支持孔５３ｅに連続的に繋がって第２光源６２を収容する第２光源収容凹部５３ｇが形成されている。
【００３６】
前側支持板５３ａの前側面には、第２支持孔５３ｅを塞ぐように筐体側導光体１０３が取付けられている。この筐体側導光体１０３は、作動ランプ１００を点灯させるための光路１０２の一部を構成している。
【００３７】
図７に示すように、光路１０２は、原稿自動送り装置７が閉状態の時に光源６２から出射される光の一部を作動ランプ１００まで導く。作動ランプ１００は、外装カバー７ｃに設けられた透光領域７ｅを有している。透光領域７ｅは、光を透過可能な領域であって、本実施形態では外装カバー７ｃに形成された矩形開口を覆う透明なプラスチックカバーにより構成されている。尚、透光領域７ｅは、外装カバー７ｃと一体形成されていてもよいし、単なる開口部であってもよい。尚、図７中の二点鎖線は光の伝播経路を示している。
【００３８】
光路１０２は、上記筐体側導光体１０３と、送り装置側導光体１０４とで構成されている。各導光体１０３，１０４は、アクリル樹脂などの透光性の樹脂材料によって成形されている。
【００３９】
送り装置側導光体１０４は、原稿自動送り装置７内に設けられている。原稿自動送り装置７が閉状態になると、送り装置側導光体１０４の下端部が筐体側導光体１０３の上端部に対向して光路１０２が形成される。光路１０２は、第２導光体７２の前端面付近から上記透光領域７ｅのカバー内方側の近傍まで延びている。
【００４０】
図８及び図９に示すように、筐体側導光体１０３は、水平導光部１０３ａ及び鉛直導光部１０３ｂを備えている。水平導光部１０３ａ及び鉛直導光部１０３ｂは、一体成形されていてもよいし別体であってもよい。
【００４１】
水平導光部１０３ａは、第２導光体７２の前端面近傍から前側に延びている。鉛直導光部１０３ｂは、水平導光部１０３ａの前端部から上側に延びている。鉛直導光部１０３ｂの上端部は、筐体２０の上板２０ｂに形成された貫通孔２０ｃの下側近傍に位置している。鉛直導光部１０３ｂの上端面は、この貫通孔２０ｃを介して光を伝播可能に露出している。水平導光部１０３ａの前端部には、前側に向かって上側に４５°で傾斜する面取り面１０３ｃが形成されている。面取り面１０３ｃは、水平導光部１０３ａより導かれた光を上側に反射して鉛直導光部１０３ｂに導く。
【００４２】
送り装置側導光体１０４は、鉛直導光部１０４ａ及び水平導光部１０４ｂを備えている。鉛直導光部１０４ａ及び水平導光部１０４ｂは、一体成形されていてもよいし別体であってもよい。送り装置側導光体１０４に関する方向定義は、特に断らない限り、原稿自動送り装置７が閉じた状態を基準とする。
【００４３】
鉛直導光部１０４ａは、原稿自動送り装置７内の前端部にて上下方向に延びている。鉛直導光部１０４ａの下端部は、原稿自動送り装置７の底壁７ｄに形成された貫通孔７ｆに嵌合している。鉛直導光部１０４ａの下端面は、この底壁７ｄの下面と面一になって原稿自動送り装置７の外部に光を伝播可能に露出している。鉛直導光部１０４ａの下端面は、原稿自動送り装置７が閉状態のときに、筐体側導光体１０３の鉛直導光部１０３ｂの上端面に僅かに隙間を空けて対向する。尚、鉛直導光部１０４ａの下端面が、鉛直導光部１０３ｂの上端面に当接するようにしてもよい。
【００４４】
送り装置側導光体１０４の水平導光部１０４ｂは、鉛直導光部１０４ａの上端部から前側に延びている。水平導光部１０４ｂの前端部は、作動ランプ１００の透光領域７ｅのカバー内方側の近傍まで延びている。水平導光部１０４ｂの後端部には、水平面に対して略４５°に傾斜する面取り面１０４ｃが形成されている。面取り面１０４ｃは、鉛直導光部１０４ａより導かれた光を前側に反射して水平導光部１０４ｂに導く。
【００４５】
本実施形態の画像読取装置３では、自動読取りモードによる原稿読取り時には、原稿自動送り装置７が閉状態とされ、照明ユニット４０が所定の読取位置Ｒを通過する原稿に向けて照明を行う。このとき、第２光源６２から出射されて第２導光体７２を通過した光が、光路１０２を通って作動ランプ１００の透光領域７ｅに導かれる。この結果、作動ランプ１００が外部から視認可能に点灯し、使用者は原稿自動送り装置７が作動中であると認識することができる。
【００４６】
このように、原稿自動送り装置７の作動ランプ１００の光源を照明ユニット４０の光源と兼用することでコストを低減することができる。
【００４７】
また、本実施形態では、上記光路１０２は、筐体２０内に設けられた筐体側導光体１０３と、原稿自動送り装置７内に設けられた送り装置側導光体１０４とを有している。筐体側導光体１０３の上端部は、原稿自動送り装置７の作動時（つまり自動読取りモードの読取り時）には、筐体２０の上板２０ｂから貫通孔２０ｃを介して光を伝播可能に露出する。一方、送り装置側導光体１０４の下端部は、原稿自動送り装置７の作動時には、閉状態にある原稿自動送り装置７の底壁７ｄから貫通孔７ｆを介して光を伝播可能に露出する。そして、送り装置側導光体１０４の下端部は、上記筐体側導光体１０３の上端部に対向する。
【００４８】
この構成によれば、筐体２０内の第２光源６２から出射される光を、筐体２０とは別体の原稿自動送り装置７内に導いて作動ランプ１００の点灯用に利用することができる。
【００４９】
また、上記筐体側導光体１０３は、第１及び第２導光体７１，７２を支持する支持部材５３に固定されていて照明ユニット４０と共に移動可能になっている。筐体２０の上板２０ｂには、照明ユニット４０（第１移動キャリッジ３１）が上記所定のホームポジションにあるときに筐体側導光体１０３の上端部を、光の伝播可能に外部に露出させる貫通孔２０ｃが形成されている。
【００５０】
したがって、固定読取りモードの原稿読取り時に、照明ユニット４０が（第１移動キャリッジ３１）がホームポジションから離れて第２コンタクトガラス１１ｂの下側を往復移動している間は（つまり原稿自動送り装置７の非作動中は）、筐体側導光体１０３の上端部を、送り装置側導光体１０４の下端部から遠ざけることができる。したがって、固定読取りモードにおいて、原稿自動送り装置７が非作動中であるにも拘わらず、作動ランプ１００が意図せずに点灯するのを防止することができる。
【００５１】
《他の実施形態》
上記実施形態では、作動ランプ１００を点灯させるために第２光源６２を使用するようにしているが、これに限ったものではなく、図１０及び図１１に示すように第１光源６１及び第２光源６２の双方を使用するようにしてもよい。この場合、第１光源６１を第１導光体７１の後側に配置し、第２光源６２を第２導光体７２の後側に配置して、各光源６１，６２による光の出射方向を後側から前側に一致させる。そして、第２光源６２から出射される光が入射する第１の筐体側導光体１０３に加えて、第１光源６１から出射される光が入射する第２の筐体側導光体１０５を設ける。また、原稿自動送り装置７内には、第１の送り装置側導光体１０４に加えて第２の送り装置側導光体１０６を備える。これにより、第１光源６１及び第２光源６２の双方から出射される光を作動ランプ１００の点灯用に利用することができる。尚、第２の筐体側導光体１０５は、図１１に示すように、前側から見て階段状に形成すればよい。また、光の伝播経路を屈曲させるために、該導光体１０５の各屈曲部に面取り面１０５ａ〜１０５ｃを形成すればよい。
【産業上の利用可能性】
【００５２】
以上説明したように、本発明は、画像読取装置及び該画像読取装置を備えた画像形成装置について有用である。
【符号の説明】
【００５３】
１        ：画像形成装置
３        ：画像読取装置
７        ：原稿自動送り装置
７ｃ      ：外装カバー
７ｄ      ：底壁
７ｅ      ：透光領域
７ｆ      ：貫通孔
１１      ：コンタクトガラス
１１ａ    ：第１コンタクトガラス
１１ｂ    ：第２コンタクトガラス
２０      ：筐体
２０ｂ    ：上板（上壁）
２０ｃ    ：貫通孔
３０      ：読取ユニット
４０      ：照明ユニット
６２      ：第２光源
７２      ：第２導光体（照明用導光体）
１００    ：作動ランプ
１０２    ：光路
１０３    ：筐体側導光体
１０４    ：送り装置側導光体
Ｒ        ：画像読取位置（所定の読取位置）
Ｔ        ：搬送路
【図１】
2019211514.tif 000003
【図２】
2019211514.tif 000004
【図３】
2019211514.tif 000005
【図４】
2019211514.tif 000006
【図５】
2019211514.tif 000007
【図６】
2019211514.tif 000008
【図７】
2019211514.tif 000009
【図８】
2019211514.tif 000010
【図９】
2019211514.tif 000011
【図１０】
2019211514.tif 000012
【図１１】
2019211514.tif 000013